(57)【特許請求の範囲】
【請求項１】
矩形状の底部と、前記底部のそれぞれの外縁から前記底部と交差する方向に延伸する側壁部と、を有する基台と、
前記底部と側壁部の内周面とに囲まれる空間に収納される液晶パネルと、
前記底部のそれぞれの外縁に沿った全周にわたって、前記側壁部が延伸した方向における前記側壁部の端面と対接して固定され、かつ、前記液晶パネルの表示面を覆う表示カバーと、
一方の端部が前記液晶パネルに電気的に接続され、かつ、他方の端部が前記空間の外側に引き出されるフレキシブルプリント基板と、
を含み、
前記基台には、前記空間と前記基台の外部とを貫通するスリットが設けられており、
前記一方の端部と前記他方の端部との間の前記フレキシブルプリント基板の中間部は、前記基台のスリット内に位置し、
前記フレキシブルプリント基板は、前記一方の端部が、前記液晶パネルの前記表示カバー側の表面に固定され、前記一方の端部と前記中間部との間の箇所である固定部が、前記液晶パネルの前記表示カバーと反対側の表面に固定されており、前記一方の端部から前記固定部までにおいて、前記液晶パネルを挟んでおり、
前記スリットは、前記液晶パネルの前記固定部が固定された側の表面に対向する前記基台の底部を貫通し、
前記フレキシブルプリント基板は、前記固定部から前記中間部まで、前記基台の底部に向けて直線状に延在する、
液晶表示装置。
【請求項２】
前記側壁部は、前記底部のそれぞれの外縁に沿って４つの側壁部を有しており、
前記４つの側壁部の端面は、それぞれの少なくとも一部と前記表示カバーとが対接して固定されている、
請求項１に記載の液晶表示装置。
【請求項３】
請求項１又は請求項２に記載の液晶表示装置と、
前記液晶表示装置を制御する制御装置とを含む、
電子機器。
【発明の詳細な説明】
【技術分野】
【０００１】
本発明は、液晶表示装置及び電子機器に関する。
【背景技術】
【０００２】
液晶表示装置は、自発光機能を持たない画像表示装置であり、表示画面である液晶パネルに背面からバックライトを照射する発光装置と一体に用いられる。発光装置には箱型の基台が設けられており、液晶パネルは基台の内部に収納される。また、液晶パネルには、液晶パネルを制御する電気信号等を伝達する回路としてＦＰＣ（Flexible  Printed  Circuits：フレキシブルプリント基板）が接続されている。特許文献１に示すように、液晶表示装置には、液晶パネルに接続されたＦＰＣが基台の外側に引き出されて、外部装置などに接続されるものがある。このような液晶表示装置は、基台の側壁のうち１辺の高さを、他の３辺の側壁の高さよりも低くして、ＦＰＣを基台の外側に引き出すスペースを確保している。
【０００３】
また、例えば車載のカーナビゲーションシステム等に搭載される液晶表示装置には、液晶パネルの表示面を覆う透明のカバーガラスが設けられ、カバーガラスを発光装置に接着固定するものがある。この場合、箱型の基台の内部に液晶パネルを収納し、基台上にカバーガラスを設置して、カバーガラスと基台の側壁とを接着固定する。
【先行技術文献】
【特許文献】
【０００４】
【特許文献１】特開２００３−２８００２４号公報
【発明の概要】
【発明が解決しようとする課題】
【０００５】
カバーガラスを発光装置に接着固定する場合においても、ＦＰＣを基台の外側に引き出すため、基台の側壁のうち１辺の高さが、他の３辺の側壁の高さよりも低くなっている。従って、基台の側壁のうち１辺はカバーガラスと対接せず、この側壁の他の３辺がカバーガラスと対接して接着固定される。係る場合、カバーガラスが均一に基台に支持されないため、カバーガラスが自重などでたわむ可能性がある。カバーガラスがたわむと、画像の表示にムラが生じる、いわゆるパネルムラが発生し、画像の表示特性が悪化する可能性がある。
【０００６】
そこで、本発明では、パネルムラの発生を抑制する液晶表示装置及び電子機器を提供することを目的とする。
【課題を解決するための手段】
【０００７】
上述した課題を解決し、目的を達成するために、本発明の液晶表示装置は、矩形状の底部と、底部のそれぞれの外縁から底部と交差する方向に延伸する側壁部と、を有する基台と、底部と側壁部の内周面とに囲まれる空間に収納される液晶パネルと、底部のそれぞれの外縁に沿った全周にわたって、側壁部が延伸した方向における側壁部の端面と対接して固定され、かつ、液晶パネルの表示面を覆う表示カバーと、一方の端部が液晶パネルに電気的に接続され、かつ、他方の端部が基台の外側に引き出されるフレキシブルプリント基板と、を含む。
【図面の簡単な説明】
【０００８】
【図１】図１は、実施形態１に係る液晶表示装置１の全体斜視図である。
【図２】図２は、実施形態１に係る液晶表示装置１の分解斜視図である。
【図３】図３は、実施形態１に係る液晶表示装置１の断面図である。
【図４】図４は、基台５の斜視図である。
【図５】図５は、実施形態２に係る液晶表示装置１ａの要部断面図である。
【図６】図６は、実施形態２に係る基台５ａの斜視図である。
【図７】図７は、実施形態３に係る液晶表示装置１ｂの要部断面図である。
【図８】図８は、実施形態３に係る基台５ｂの平面図である。
【図９】図９は、変形例１に係る液晶表示装置１ｃの要部断面図である。
【図１０】図１０は、変形例１に係る基台５ｃの平面図である。
【図１１】図１１は、変形例２に係る液晶表示装置１ｄの要部断面図である。
【図１２】図１２は、本実施形態に係る液晶表示装置を適用する電子機器の一例を示す図である。
【図１３】図１３は、本実施形態に係る液晶表示装置を適用する電子機器の一例を示す図である。
【図１４】図１４は、本実施形態に係る液晶表示装置を適用する電子機器の一例を示す図である。
【図１５】図１５は、本実施形態に係る液晶表示装置を適用する電子機器の一例を示す図である。
【図１６】図１６は、本実施形態に係る液晶表示装置を適用する電子機器の一例を示す図である。
【図１７】図１７は、本実施形態に係る液晶表示装置を適用する電子機器の一例を示す図である。
【図１８】図１８は、本実施形態に係る液晶表示装置を適用する電子機器の一例を示す図である。
【図１９】図１９は、本実施形態に係る液晶表示装置を適用する電子機器の一例を示す図である。
【図２０】図２０は、本実施形態に係る液晶表示装置を適用する電子機器の一例を示す図である。
【発明を実施するための形態】
【０００９】
以下、発明を実施するための形態（以下、実施形態という）について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１０】
（実施形態１）
以下、本発明に係る実施形態１を、図面を参照して詳細に説明する。図１は、実施形態１に係る液晶表示装置１の全体斜視図であり、図２は、実施形態１に係る液晶表示装置１の分解斜視図であり、そして、図３は、実施形態１に係る液晶表示装置１の断面図である。
【００１１】
図１及び図２に示すように、液晶表示装置１は、バックライトユニット２と、液晶パネル３と、表示カバーとしてのカバーガラス４とを備えている。バックライトユニット２は、基台５と、導光板６と、光学シート７とを備えている。
【００１２】
図４は基台５の斜視図である。基台５は、矩形状かつ板状の底部８と、第１の側壁部５１と、第２の側壁部５２と、第３の側壁部５３と、第４の側壁部５４とを備える。第１の側壁部５１は、底部８の外縁であって長辺側の一方の辺８１から底部８と平行な面と交差する方向に延伸し、延伸した方向の先端に端面５１ｕを有する。第２の側壁部５２は、底部８の外縁であって短辺側の一方の辺８２から底部８と平行な面と交差する方向に延伸し、延伸した方向の先端に端面５２ｕを有する。第３の側壁部５３は、底部８の外縁であって長辺側の他方の辺８３から底部８と平行な面と交差する方向に延伸し、延伸した方向の先端に端面５３ｕを有する。第４の側壁部５４は、底部８の外縁であって短辺側の他方の辺８４から底部８と平行な面と交差する方向に延伸し、延伸した方向の先端に端面５４ｕを有する。
【００１３】
第１の側壁部５１、第２の側壁部５２、第３の側壁部５３及び第４の側壁部５４の底部８と平行な面と垂直方向に延伸する長さはそれぞれ同一（公差を含む）であり、底部８から端面５１ｕ、５２ｕ、５３ｕ及び５４ｕまでの高さは同一（公差を含む）である。基台５は、例えばアルミニウム等の金属材料等から製造されるが、これに限られない。また、底部８は矩形状であるが、これに限られず、例えば、正方形であってもよい。本実施形態において、底部８と平行な面と、第１の側壁部５１、第２の側壁部５２、第３の側壁部５３及び第４の側壁部５４とが交差するは角度９０度であるが、これに限定されない。また、基台５は１つの部品からなっているが、例えば２つなど、複数の部品から構成されていてもよい。
【００１４】
基台５の内部であって、底部８と、第１の側壁部５１、第２の側壁部５２、第３の側壁部５３及び第４の側壁部５４とに囲まれる空間９１には、導光板６と、光学シート７と、液晶パネル３とが、底部８からこの順で積層されている。また、図３に示すように、基台５の端面５１ｕ、５２ｕ、５３ｕ及び５４ｕには、カバーガラス４が対接されている。基台５の端面５１ｕ、５２ｕ、５３ｕ及び５４ｕと、カバーガラス４とは、例えば接着剤又は両面テープで接着され、固定されている。なお、詳しくは後述するが、第１の側壁部５１の端面５１ｕの一部は、ＦＰＣ９を介してカバーガラス４と対接し、接着によって固定されている。このように、実施形態１においては、カバーガラス４は、底部８の外縁に沿った全周にわたって、端面５１ｕ、５２ｕ、５３ｕ及び５４ｕに対接して固定されている。
【００１５】
図３に示すように、第１の側壁部５１の空間９１側の側面である内面５１ｉには、基板１１が取り付けられている。基板１１は、例えばＦＰＣ（Flexible  Printed  Circuits、フレキシブルプリント基板）であるが、これに限られず、例えばＰＣＢ（Printed  Circuit  Board、プリント回路板）又はＰＷＢ（Printed  Wiring  Board、プリント配線板）であってもよい。基板１１をＦＰＣとした場合、基板１１の基台５への取り付けが容易となる。基板１１には、光源としてのＬＥＤ１２が取り付けられている。ＬＥＤ１２は、基板１１を通じて電気信号を受け取り、電気信号に応じて発光する。なお、実施形態１ではＬＥＤ１２は複数個取り付けられている。また、光源としては、ＬＥＤに限られず、例えば、蛍光灯、冷陰極管なども適用することができる。基板１１は、基板１１と電気的に接続されており、制御信号を送信してＬＥＤ１２の点灯を制御する制御装置としての外部機器に接続される。
【００１６】
導光板６は、光を透過させる矩形の板である。導光板６に用いられる材料としては、例えば、アクリル樹脂、ポリカーボネート（ＰＣ）樹脂、メタクリル酸メチル−スチレン共重合体（ＭＳ樹脂）等が挙げられる。導光板６は、一方の表面である反射面６３と、他方の表面である出光面６２とを有する。導光板６は、長辺側の側面である側面６１がＬＥＤ１２に向くように基台５内に設置されている。導光板６は、側面６１から入射したＬＥＤ１２からの光を、面内方向に拡げつつ、出光面６２から出射させる。導光板６の出光面６２から出射した光は、基台５内で導光板６よりも基台５の底部８から離れた位置に設けられた液晶パネル３に、液晶パネル３の画像表示面１１０とは反対側の背面１１１から入射する。
【００１７】
導光板６の反射面６３には、複数個の散乱部６４が形成されている。導光板６内に入射した光が散乱部６４と接触すると様々な方向に反射し、散乱光が発生する。この散乱光の一部が導光板６の出光面６２から出射する。散乱部６４は、例えば、塗料を導光板６の反射面３３にドット状又はストライプ状に印刷して形成される。印刷方法としては、例えば、シルクスクリーン印刷又はインクジェット印刷等が挙げられる。なお、散乱部６４の個数、形状、色及び配置パターン等は、これらに限られず、目的に応じて適宜選択される。また、導光板６の反射面６３と基台５の底部８との間に、反射面６３内に入射した光を反射する反射シートが設けられていてもよい。
【００１８】
光学シート７は、導光板６の出光面６２上に積層される。光学シート７は、導光板６の出光面６２から出射した光の光学特性を調整するものであり、調光シート、拡散シート又はプリズムシート等を使用できる。光学シート７は、１枚のみでもよいし、複数枚積層されたものを使用してもよい。
【００１９】
このように、基台５と、導光板６と、光学シート７とを備えるバックライトユニット２は、いわゆるエッジライト方式であるが、例えば底部８に光源を設置した直下型のバックライトユニットであってもよい。
【００２０】
液晶パネル３は、２枚の透明基板３１と３２の間に液晶層を形成している。本実施形態の液晶パネル３は、ＦＦＳ（Ｆｒｉｎｇｅ  Ｆｉｅｌｄ  Ｓｗｉｔｃｈｉｎｇ）型の液晶ディスプレイであり、一方の透明基板に駆動電極（共通電極）と、画素に対応して形成されたマトリクス状に配置された画素電極が積層されている。また、透明基板３１と３２との少なくとも一方には、例えば、Ｒ（赤）、Ｇ（緑）及びＢ（青）等のフィルタが画素に対応して配置されたカラーフィルタが設けられている。液晶パネル３は、画素電極と駆動電極（共通）のいずれか一方に開口が形成されており、開口から漏れた電界（フリンジ電界）で液晶を駆動させる。
【００２１】
液晶パネル３は、画像信号に基づいて、各画素での光の透過と遮断を切り換えることで、画像を表示させる。液晶パネル３は、マトリクス状に画素が配置された面、つまり面積が最も大きい面（パネル面、表面）がバックライトユニット２の照射面と略平行に配置されている。液晶パネル３は、ＦＦＳ型であるが、ＩＰＳ（Ｉｎ−Ｐｌａｎｅ  Ｓｗｉｔｃｈｉｎｇ）型、ＴＮ（Ｔｗｉｓｔｅｄ  Ｎｅｍａｔｉｃ）型、ＯＣＢ（Ｏｐｔｉｃａｌｌｙ  Ｃｏｍｐｅｎｓａｔｅｄ  Ｂｅｎｄ、Ｏｐｔｉｃａｌｌｙ  Ｃｏｍｐｅｎｓａｔｅｄ  Ｂｉｒｅｆｒｉｎｇｅｎｃｅ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型の液晶としてもよい。また、液晶パネル３は、電圧がかかっていない状態で光を透過せず表示が黒になるノーマリーブラック、電圧がかかっていない状態で光を透過し表示が白になるノーマリーホワイトのいずれの方式も用いることができる。また、透明基板３２は、透明基板３１と対向する側の面であって、透明基板３１と対接していない部分である接続部３３を有している。詳しくは後述するが、接続部３３には、フレキシブルプリント基板としてのＦＰＣ９が電気的に接続されている。
【００２２】
カバーガラス４は、液晶パネル３の画像表示面１１０側に配置されるように、液晶パネル３の画像表示面１１０を覆って保護する透明なガラス部材である。また、カバーガラス４は、板面における外周部に、液晶パネル３からの光を遮断する遮光領域４１が形成され、遮光領域４１で囲まれた領域、つまり、遮光領域４１の内側に液晶パネル３からの光を透過させる表示領域４２が形成されている。カバーガラス４は、板状のガラス基板を基材とし、ガラス基板の液晶パネル３側から、外周部の領域に遮光部材をスクリーン印刷等によって印刷して遮光領域４１を形成している。図１においては、カバーガラス４の外面に遮光部材が配置されているように示しているが、スクリーン印刷等によりカバーガラス４の光源側の面に遮光部材を配置することが好ましい。また、上述のように、カバーガラス４は、基台５の端面５１ｕ、５２ｕ、５３ｕ及び５４ｕに対接して固定されている。カバーガラス４と液晶パネル３とは、接着されていなくてもよい。
【００２３】
本実施形態の液晶表示装置１は、液晶パネル３の画像表示面１１０を保護する表示カバーとして、カバーガラス４を設けたが、これに限定されない。表示カバーは、液晶パネル３の表面を保護することができ、かつ、液晶パネル３に表示された画像を透過させることができればよく、板状でかつ光を透過する種々の表示カバーを用いることができる。表示カバーとしては、透明な樹脂部材又はタッチパネルを用いることができる。
【００２４】
図３に示されるように、ＦＰＣ９は、一方の端部としての端部９ａが透明基板３２の接続部３３に電気的に接続されている。そして、ＦＰＣ９の他方の端部としての端部９ｂは、基台５が有する空間９１の外側に引き出されている。ＦＰＣ９の端部９ｂは、液晶パネル３に制御信号を送信して表示動作を制御する制御装置としての外部機器に電気的に接続される。また、実施形態１では、カバーガラス４と第１の側壁部５１の端面５１ｕとは、対接部分５５において、ＦＰＣ９の端部９ａと端部９ｂとの間の中間部９ｃを介して互いに対接している。ＦＰＣ９の中間部９ｃは、対接部分５５において、カバーガラス４と端面５１ｕとの間に位置している。ＦＰＣ９の中間部９ｃは、例えば接着剤又は両面テープ等により、対接部分５５において、カバーガラス４に接着され、固定されている。なお、ＦＰＣ９の中間部９ｃは、対接部分５５において、第１の側壁部５１の端面５１ｕに接着され、固定されていてもよい。ＦＰＣ９の中間部９ｃは、対接部分５５において、カバーガラス４及び第１の側壁部５１の少なくとも一方に固定されていてもよい。なお、端部９ａから中間部９ｃまでの長さと、中間部９ｃから端部９ｂまでの距離は任意である。
【００２５】
上述のように、カバーガラス４は、端面５１ｕ、５２ｕ、５３ｕ及び５４ｕに対接して固定されている。言い換えれば、カバーガラス４は、基台５の外縁の全周にわたって、第１の側壁部５１、第２の側壁部５２、第３の側壁部５３及び第４の側壁部５４に固定されている。従って、実施形態１においては、カバーガラス４は基台５の外縁に沿って均一に支持されることとなり、カバーガラス４のたわみを抑制して、パネルムラの発生を抑制することができる。さらに、第１の側壁部５１、第２の側壁部５２、第３の側壁部５３及び第４の側壁部５４がカバーガラス４と対接するため、バックライトユニット２からの光漏れを抑制することができる。なお、カバーガラス４と第１の側壁部５１、第２の側壁部５２、第３の側壁部５３及び第４の側壁部５４とは、基台５の外縁の周方向の全ての領域において、対接して固定されていなくてもよい。言い換えれば、カバーガラス４は、基台５の外縁の全周にわたって基台５に固定されていれば、その一部においては第１の側壁部５１、第２の側壁部５２、第３の側壁部５３及び第４の側壁部５４と固定されていなくてもよい。例えば、端面５１ｕ、５２ｕ、５３ｕ及び５４ｕの一部に切欠きが設けられていて、その切欠き部分においてはカバーガラス４と端面５１ｕ、５２ｕ、５３ｕ及び５４ｕとが対接して固定されていなくてもよい。この場合端面５１ｕ、５２ｕ、５３ｕ及び５４ｕは、それぞれの少なくとも一部とカバーガラス４とが対接して固定されている。このような場合においても、カバーガラス４は、基台５の外縁の全周にわたって基台５に固定されているため、カバーガラス４は基台５の外縁に沿って均一に支持される。
【００２６】
また、実施形態１においては、ＦＰＣ９の中間部９ｃは、カバーガラス４に固定されている。従って、カバーガラス４と液晶パネル３とは、ＦＰＣ９を介して一体として固定される。そのため、液晶表示装置１が振動等した場合においても、カバーガラス４と液晶パネル３とは一体として動き、振動等によりＦＰＣ９へ加えられる力を抑制し、ＦＰＣ９の断線を抑制することができる。
【００２７】
なお、対接部分５５は、ＦＰＣ９を介してカバーガラス４と第１の側壁部５１の端部５１ｕとが対接している。そのため、ＦＰＣ９の厚みの分、対接部分５５と、カバーガラス４と端面５１ｕ、５２ｕ、５３ｕ及び５４ｕとがＦＰＣ９を介さず直接対接している部分とは、段差が生じる可能性がある。係る場合、カバーガラス４と端面５１ｕ、５２ｕ、５３ｕ及び５４ｕとが直接対接している部分においては、端面５１ｕ、５２ｕ、５３ｕ及び５４ｕにクッション材等を設けたり、端面５１ｕの対接部分５５の位置の高さを低くしたりしてもよい。クッション材を設けることにより、対接部分５５と、カバーガラス４と端面５１ｕ、５２ｕ、５３ｕ及び５４ｕとが直接対接している部分とに生じる段差を解消することができ、カバーガラス４のたわみをより好適に抑制することができる。
【００２８】
また、ＦＰＣ９の端部９ａに、ＵＶ（ｕｌｔｒａｖｉｏｌｅｔ）硬化樹脂（紫外線硬化樹脂）などを塗布してもよい。ＵＶ硬化樹脂は、紫外線の光エネルギーに反応して液体から固体に化学的に変化する合成樹脂である。ＦＰＣ９は端部９ａにおいて液晶パネル３に接続されている。そのため、端部９ａは回路が外部にむき出しになっている場合があり、端部９ａは強度的に弱い。端部９ａにＵＶ硬化樹脂を塗布することで、端部９ａの強度が上昇する。なお、端部９ａの強度を補強するものであれば、端部９ａに塗布するものは、ＵＶ硬化樹脂に限られない。
【００２９】
（実施形態２）
次に、本発明の実施形態２について、図面を参照して詳細に説明する。図５は、実施形態２に係る液晶表示装置１ａの要部断面図である。図６は、実施形態２に係る基台５ａの斜視図である。実施形態２は、次の点で実施形態１と異なる。すなわち、実施形態２に係る基台５ａは、スリット５６を有し、ＦＰＣ９の中間部９ｃは、スリット５６内に位置する。他の構成は実施形態１と共通するため、説明を省略する。
【００３０】
基台５ａは、矩形状かつ板状の底部８ａと、第１の側壁部５１ａと、第２の側壁部５２ａと、第３の側壁部５３ａと、第４の側壁部５４ａとを備える。第１の側壁部５１ａは、底部８ａの外縁であって長辺側の一方の辺８１ａから底部８ａと平行な面と交差する方向に延伸し、延伸した方向の先端に端面５１ａｕを有する。第２の側壁部５２ａは、底部８ａの外縁であって短辺側の一方の辺８２ａから底部８ａと平行な面と交差する方向に延伸し、延伸した方向の先端に端面５２ａｕを有する。第３の側壁部５３ａは、底部８ａの外縁であって長辺側の他方の辺８３ａから底部８ａと平行な面と交差する方向に延伸し、延伸した方向の先端に端面５３ａｕを有する。第４の側壁部５４ａは、底部８ａの外縁であって短辺側の他方の辺８４ａから底部８ａと平行な面と交差する方向に延伸し、延伸した方向の先端に端面５４ａｕを有する。基台５ａには、底部８ａと第１の側壁部５１ａ、第２の側壁部５２ａ、第３の側壁部５３ａ及び第４の側壁部５４ａとに囲まれる空間９１ａが設けられている。
【００３１】
第１の側壁部５１ａには、スリット５６が設けられている。図５に示すように、スリット５６は、第１の側壁部５１ａの空間９１ａ側の側面である内面５１ａｉと、第１の側壁部５１ａの空間９１ａ側と反対側の側面である外面５１ａｏとを貫通して設けられている。スリット５６は、空間９１ａと、基台５ａの外部とを貫通する。スリット５６の開口面積は、ＦＰＣ９の中間部９ｃがスリット５６内に位置できる程度の大きさであればよい。
【００３２】
実施形態１と同様に、実施形態２に係るＦＰＣ９は、一方の端部としての端部９ａが透明基板３２の接続部３３に電気的に接続されている。ＦＰＣ９の他方の端部としての端部９ｂは、基台５ａが有する空間９１ａの外側に引き出されている。実施形態２においては、ＦＰＣ９の端部９ａと端部９ｂとの間の中間部９ｃは、スリット５６内に位置している。端部９ａから中間部９ｃまでの長さと、中間部９ｃから端部９ｂまでの距離は任意である。ＦＰＣ９は、中間部９ｃにおいて、基台５ａの第１の側壁部５１ａと接着して固定されていてもよい。
【００３３】
実施形態２においても、カバーガラス４と、基台５ａの端面５１ａｕ、５２ａｕ、５３ａｕ及び５４ａｕとは対接して固定される。つまり、カバーガラス４は、基台５ａの外縁の全周にわたって、基台５ａに固定されている。従って、実施形態２においても、実施形態１と同様に、カバーガラス４は基台５ａの外縁に沿って均一に支持されることとなり、カバーガラス４のたわみを抑制して、パネルムラの発生を抑制することができる。
【００３４】
実施形態２においては、ＦＰＣ９はスリット５６を経由して空間９１ａの外側に引き出されている。ＦＰＣ９はカバーガラス４と基台５ａの端面５１ａｕ、５２ａｕ、５３ａｕ及び５４ａｕとが対接して固定される部分に位置しない。従って、実施形態２においては、カバーガラス４と基台５ａの端面５１ａｕ、５２ａｕ、５３ａｕ及び５４ａｕとは、ＦＰＣ９を介さず直接対接し、固定されている。そのため、カバーガラス４と基台５ａの端面５１ａｕ、５２ａｕ、５３ａｕ及び５４ａｕとが対接する部分に段差が生じることが抑制され、好適にパネルムラの発生を抑制することができる。
【００３５】
（実施形態３）
次に、本発明の実施形態３について、図面を参照して詳細に説明する。図７は、実施形態３に係る液晶表示装置１ｂの要部断面図である。図８は、実施形態３に係る基台５ｂの平面図である。実施形態３は、実施形態２と同様に基台５ｂにスリットを有するが、スリットが設けられる位置が実施形態２とは異なる。他の構成は実施形態１と共通するため、説明を省略する。
【００３６】
基台５ｂは、矩形状かつ板状の底部８ｂと、第１の側壁部５１ｂと、第２の側壁部５２ｂと、第３の側壁部５３ｂと、第４の側壁部５４ｂとを備える。第１の側壁部５１ｂは、底部８ｂの外縁であって長辺側の一方の辺８１ｂから底部８ｂと平行な面と交差する方向に延伸し、延伸した方向の先端に端面５１ｂｕを有する。第２の側壁部５２ｂは、底部８ｂの外縁であって短辺側の一方の辺８２ｂから底部８ｂと平行な面と交差する方向に延伸し、延伸した方向の先端に端面５２ｂｕを有する。第３の側壁部５３ｂは、底部８ｂの外縁であって長辺側の他方の辺８３ｂから底部８ｂと平行な面と交差する方向に延伸し、延伸した方向の先端に端面５３ｂｕを有する。第４の側壁部５４ｂは、底部８ｂの外縁であって短辺側の他方の辺８４ｂから底部８ｂと平行な面と交差する方向に延伸し、延伸した方向の先端に端面５４ｂｕを有する。基台５ｂには、底部８ｂと第１の側壁部５１ｂ、第２の側壁部５２ｂ、第３の側壁部５３ｂ及び第４の側壁部５４ｂとに囲まれる空間９１ｂが設けられている。
【００３７】
底部８ｂには、スリット５７が設けられている。図７及び８に示すように、スリット５７は、底部８ｂの空間９１ｂ側の面である上面８ｂｕと、底部８ｂの空間９１ｂ側と反対側の面である下面８ｂｄとを貫通して設けられている。スリット５７は、空間９１ｂと、基台５ｂの外部とを貫通する。スリット５７の開口面積は、ＦＰＣ９の中間部９ｃがスリット５７内に位置できる程度の大きさであればよい。
【００３８】
実施形態１と同様に、実施形態３に係るＦＰＣ９は、一方の端部としての端部９ａが透明基板３２の接続部３３に電気的に接続されている。ＦＰＣ９の他方の端部としての端部９ｂは、基台５ｂが有する空間９１ｂの外側に引き出されている。実施形態３においては、ＦＰＣ９の端部９ａと端部９ｂとの間の中間部９ｃは、スリット５７内に位置している。端部９ａから中間部９ｃまでの長さ及び中間部９ｃから端部９ｂまでの長さは任意である。また、ＦＰＣ９は、中間部９ｃにおいて、基台５ｂの底部８ｂと接着して固定されていてもよい。
【００３９】
実施形態３においても、カバーガラス４と、基台５ｂの端面５１ｂｕ、５２ｂｕ、５３ｂｕ及び５４ｂｕとは対接して固定される。つまり、カバーガラス４は、基台５ｂの外縁の全周にわたって、基台５ｂに固定されている。従って、実施形態３においても、実施形態１と同様に、カバーガラス４は基台５ｂの外縁に沿って均一に支持されることとなり、カバーガラス４のたわみを抑制して、パネルムラの発生を抑制することができる。
【００４０】
実施形態３においては、ＦＰＣ９はスリット５７を経由して空間９１ｂの外側に引き出されている。ＦＰＣ９はカバーガラス４と基台５ｂの端面５１ｂｕ、５２ｂｕ、５３ｂｕ及び５４ｂｕとが対接して固定される部分に位置しない。従って、実施形態３においては、カバーガラス４と基台５ｂの端面５１ｂｕ、５２ｂｕ、５３ａｕ及び５４ｂｕとは、ＦＰＣ９を介さず直接対接し、固定されている。そのため、カバーガラス４と基台５ｂの端面５１ｂｕ、５２ｂｕ、５３ｂｕ及び５４ｂｕとが対接する部分に段差が生じることが抑制され、好適にパネルムラの発生を抑制することができる。また、実施形態３においては、第１の側壁部５１ｂを貫通するスリットが設けられていない。そのため、第１の側壁部５１ｂは、実施形態２よりも、カバーガラス４の自重などに対する強度が高くなる。
【００４１】
（変形例１）
次に、実施形態３の変形例１について図面を参照して詳細に説明する。図９は、変形例１に係る液晶表示装置１ｃの要部断面図である。図１０は、変形例１に係る基台５ｃの平面図である。変形例１は、実施形態３と同様に基台の底部にスリットが設けられているが、スリットが設けられる位置が実施形態３とは異なる。他の構成は実施形態３と共通するため、説明を省略する。
【００４２】
基台５ｃは、矩形状かつ板状の底部８ｃと、第１の側壁部５１ｃと、第２の側壁部５２ｃと、第３の側壁部５３ｃと、第４の側壁部５４ｃとを備える。第１の側壁部５１ｃは、底部８ｃの外縁であって長辺側の一方の辺８１ｃから底部８ｃと平行な面と交差する方向に延伸し、延伸した方向の先端に端面５１ｃｕを有する。第２の側壁部５２ｃは、底部８ｃの外縁であって短辺側の一方の辺８２ｃから底部８ｃと平行な面と交差する方向に延伸し、延伸した方向の先端に端面５２ｃｕを有する。第３の側壁部５３ｃは、底部８ｃの外縁であって長辺側の他方の辺８３ｃから底部８ｃと平行な面と交差する方向に延伸し、延伸した方向の先端に端面５３ｃｕを有する。第４の側壁部５４ｃは、底部８ｃの外縁であって短辺側の他方の辺８４ｃから底部８ｃと平行な面と交差する方向に延伸し、延伸した方向の先端に端面５４ｃｕを有する。基台５ｃには、底部８ｃと第１の側壁部５１ｃ、第２の側壁部５２ｃ、第３の側壁部５３ｃ及び第４の側壁部５４ｃとに囲まれる空間９１ｃが設けられている。
【００４３】
第１の側壁部５１ｃには、切欠き部５８が設けられている。切欠き部５８は、第１の側壁部５１ｃの空間９１ｃ側の側面である内面５１ｃｉから、第１の側壁部５１ｃの空間９１ｃと反対側の側面である外面５１ｃｏに向かって、第１の側壁部５１ｃを切り欠いている。ただし、切欠き部５８は、内面５１ｃｉから外面５１ｃｏに向かって貫通しない。また、切欠き部５８は、第１の側壁部５１ｃの端面５１ｃｕから、底部８ｃの空間９１ｃ側とは反対側の面である下面８ｃｄへ向かって、第１の側壁部５１ｃ及び底部８ｃを切り欠いている。切欠き部５８は、第１の側壁部５１ｃの端面５１ｃｕと、底部８ｃの空間９１ｃ側とは反対側の面である下面８ｃｄとを貫通し、スリット５９を形成する。スリット５９の開口面積は、ＦＰＣ９の中間部９ｃがスリット５９内に位置できる程度の大きさであればよい。
【００４４】
実施形態３と同様に、変形例１におけるＦＰＣ９は、一方の端部としての端部９ａが透明基板３２の接続部３３に電気的に接続されている。そして、ＦＰＣ９の他方の端部としての端部９ｂは、基台５ｃが有する空間９１ｃの外側に引き出されている。また、変形例１においては、ＦＰＣ９の端部９ａと端部９ｂとの間の中間部９ｃは、スリット５９内に位置している。なお、端部９ａから中間部９ｃまでの長さと、中間部９ｃから端部９ｂまでの距離は任意である。また、ＦＰＣ９は、中間部９ｃにおいて、基台５ｃの底部８ｃ又は第１の側壁部５１ｃと接着して固定されていてもよい。
【００４５】
また、変形例１においては、第１の側壁部５１ｃを貫通するスリットが設けられていない。そのため、第１の側壁部５１ｃは、実施形態２よりも、カバーガラス４の自重などに対する強度が高くなる。また、変形例１においては、第１の側壁部５１ｃに切り欠き部５８を設けて、スリット５９を形成している。従って、液晶表示装置１ｃの組み立ての際には、ＦＰＣ９の端面９ｂを切欠き部５８に突き当ててからＦＰＣ９の端部９ｂを空間９１ｃの外側に引き出すことができる。従って、変形例１は、液晶表示装置１ｃの組み立てが容易になる。
【００４６】
（変形例２）
次に、実施形態３の変形例２について図面を参照して詳細に説明する。図１１は、変形例２に係る液晶表示装置１ｄの要部断面図である。変形例２は、ＦＰＣ９が、更に液晶パネル３に固定されている部分を有する点で、実施形態３と異なる。他の構成は実施形態３と共通するため、説明を省略する。
【００４７】
実施形態３と同様に、変形例２に係る基台５ｂには、底部８ｂにおいてスリット５７が設けられている。実施形態３と同様に、変形例２におけるＦＰＣ９は、一方の端部としての端部９ａが透明基板３２の接続部３３に電気的に接続されている。そして、ＦＰＣ９の他方の端部としての端部９ｂは、基台５ｂが構成する空間９１ｂの外側に引き出されている。また、ＦＰＣ９の端部９ａと端部９ｂとの間の中間部９ｃは、スリット５７内に位置している。なお、端部９ａから中間部９ｃまでの長さと、中間部９ｃから端部９ｂまでの距離は任意である。
【００４８】
変形例２において、ＦＰＣ９は、固定部９ｄにおいて、透明基板３２の透明基板３１と対向する面と反対側の面である下面３４に固定されている。固定部９ｄは、端部９ａと中間部９ｃとの間に位置する。固定部９ｄと下面３４とは、例えば接着剤又は両面テープ等により、固定されている。なお、端部９ａから固定部９ｄまでの長さ及び固定部９ｄから中間部９ｃまでの長さは任意である。
【００４９】
このように変形例２においては、ＦＰＣ９は、固定部９ｄにおいて、液晶パネル３に固定されている。従って、液晶表示装置１ｄが振動等した場合においても、液晶パネル３とＦＰＣ９とは一体として動き、振動等によりＦＰＣ９へ加えられる力を抑制し、ＦＰＣ９の断線を抑制することができる。
【００５０】
（適用例）
次に、図１２から図２０を参照して、実施形態１、２及び３並びに変形例１及び２で説明した液晶表示装置の適用例について説明する。以下、実施形態１、２及び３並びに変形例１及び２を本実施形態として説明する。図１２から図２０は、本実施形態に係る液晶表示装置を適用する電子機器の一例を示す図である。本実施形態に係る液晶表示装置は、携帯電話、スマートフォン等の携帯端末装置、テレビジョン装置、デジタルカメラ、ノート型パーソナルコンピュータ、ビデオカメラ、或いは、車両に設けられるメータ又はカーナビゲーションシステムなどのあらゆる分野の電子機器に適用することが可能である。言い換えると、本実施形態に係る液晶表示装置は、外部から入力された映像信号或いは内部で生成した映像信号を、画像或いは映像として表示するあらゆる分野の電子機器に適用することが可能である。電子機器は、液晶表示装置に映像信号を供給し、液晶表示装置の動作を制御する制御装置を備える。例えば、制御装置は、外部機器としてＦＰＣ９の端部９ｂと接続され、液晶パネル３に映像信号を送信して表示動作を制御する。
【００５１】
（適用例１）
図１２に示す電子機器は、本実施形態に係る液晶表示装置が適用されるテレビジョン装置である。このテレビジョン装置は、例えば、フロントパネル５１１及びフィルターガラス５１２を含む映像表示画面部５１０と、映像表示画面部５１０を制御する制御装置５１３を有している。この映像表示画面部５１０は、本実施形態に係る液晶表示装置である。
【００５２】
（適用例２）
図１３及び図１４に示す電子機器は、本実施形態に係る液晶表示装置が適用されるデジタルカメラである。このデジタルカメラは、例えば、フラッシュ用の発光部５２１、表示部５２２、メニュースイッチ５２３、シャッターボタン５２４及び表示部５２２を制御する制御装置５２６を有しており、その表示部５２２は、本実施形態に係る液晶表示装置である。図１３に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【００５３】
（適用例３）
図１５に示す電子機器は、本実施形態に係る液晶表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３、表示部５３４及び表示部５３４を制御する制御装置５３５を有している。そして、表示部５３４は、本実施形態に係る液晶表示装置である。
【００５４】
（適用例４）
図１６に示す電子機器は、本実施形態に係る液晶表示装置が適用されるノート型パーソナルコンピュータである。このノート型パーソナルコンピュータは、例えば、本体５４１、文字等の入力操作のためのキーボード５４２、画像を表示する表示部５４３及び表示部５４３を制御する制御装置５４４を有しており、表示部５４３は、本実施形態に係る液晶表示装置である。
【００５５】
（適用例５）
図１７及び図１８に示す電子機器は、本実施形態に係る液晶表示装置が適用される携帯電話機である。図１７は携帯電話機を開いた状態での正面図である。図１８は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６、カメラ５５７及びディスプレイ５５４を制御する制御装置５５８を有している。当該ディスプレイ５５４は、本実施形態に係る液晶表示装置が取り付けられている。このため、当該携帯電話機のディスプレイ５５４は、画像を表示する機能の他に、タッチ動作を検出する機能を有していてもよい。
【００５６】
（適用例６）
図１９に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有しており、さらに、表示部５６２を制御する制御装置５６３を有している。この表示部５６２は、本実施形態に係る液晶表示装置である。
【００５７】
（適用例７）
図２０は、本実施形態に係る車両に搭載されるメータユニット及びカーナビゲーションシステムの概略構成図である。図２０に示す電子機器は、車両に搭載されるメータユニット及びカーナビゲーションシステムである。図２０に示すメータユニット（電子機器）５７０は、燃料計、水温計、スピードメータ、タコメータ等、複数の上述した本実施形態に係る液晶表示装置を表示装置５７１として備えている。また、メータユニット５７０は、表示装置５７１を制御する制御装置５７９を備えている。そして、複数の表示装置５７１は、ともに、一枚の外装パネル５７２に覆われている。
【００５８】
図２０に示す表示装置５７１それぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、図２０に示すように、表示装置５７１では、パネル５７３の表示面に目盛表示、警告表示等を表示することができるとともに、ムーブメント機構の指針５７４がパネル５７３の表示面側において回転することが可能となっている。
【００５９】
なお図２０では、一枚の外装パネル５７２に複数の表示装置５７１を設けた構成としたが、これに限定されない。外装パネル５７２によって囲まれた領域に１つの表示装置５７１を設け、当該表示装置５７１に燃料計、水温計、スピードメータ、タコメータ等を表示させてもよい。
【００６０】
図２０に示すように、例えば車両のダッシュボード５７７に、カーナビゲーション表示装置５７６が設置される。カーナビゲーション表示装置５７６は、本実施形態に係る液晶表示装置を表示部５７５として備えており、表示部５７５を制御する制御装置５７８を備えている。表示部５７５は、カーナビゲーションシステムにおけるナビゲーション表示、音楽操作画面の表示、又は、映画再生表示等に利用される。
【００６１】
以上、各実施形態及び変形例について説明したが、これらの実施形態等の内容によりこれらの実施形態等が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【００６２】
（本開示の構成）
本開示は、次のような構成を採用することができる。
【００６３】
（１）矩形状の底部と、前記底部のそれぞれの外縁から前記底部と交差する方向に延伸する側壁部と、を有する基台と、
前記底部と前記側壁部の内周面とに囲まれる空間に収納される液晶パネルと、
前記底部のそれぞれの外縁に沿った全周にわたって、前記側壁部が延伸した方向における前記側壁部の端面と対接して固定され、かつ、前記液晶パネルの表示面を覆う表示カバーと、
一方の端部が前記液晶パネルに電気的に接続され、かつ、他方の端部が前記空間の外側に引き出されるフレキシブルプリント基板と、
を含む液晶表示装置。
【００６４】
（２）前記側壁部は、前記底部のそれぞれの外縁に沿って４つの側壁部を有しており、
前記４つの側壁部の端面は、それぞれの少なくとも一部と前記表示カバーとが対接して固定されている、
液晶表示装置。
【００６５】
（３）前記一方の端部と前記他方の端部との間の前記フレキシブルプリント基板の中間部は、前記表示カバーと前記側壁部の端面とが対接する部分の、前記表示カバーと前記側壁部の端面との間に位置し、かつ、前記側壁部及び前記表示カバーの少なくとも一方に固定されている、
液晶表示装置。
【００６６】
（４）前記基台には、前記空間と前記基台の外部とを貫通するスリットが設けられており、
前記一方の端部と前記他方の端部との間の前記フレキシブルプリント基板の中間部は、前記基台のスリット内に位置する、
液晶表示装置。
【００６７】
（５）前記スリットは、前記基台の側壁部を貫通する、
液晶表示装置。
【００６８】
（６）前記スリットは、前記基台の底部を貫通する、
液晶表示装置。
【００６９】
（７）前記フレキシブルプリント基板は、前記一方の端部と前記中間部との間の部分が前記液晶パネルに固定されている、
液晶表示装置。
【００７０】
（８）前記液晶表示装置と、
前記液晶表示装置を制御する制御装置とを含む、
電子機器。
【００７１】
（９）前記液晶表示装置と、
前記液晶表示装置を制御する制御装置とを含む、
電子機器。
【００７２】
（１０）前記液晶表示装置と、
前記液晶表示装置を制御する制御装置とを含む、
電子機器。
【００７３】
（１１）前記液晶表示装置と、
前記液晶表示装置を制御する制御装置とを含む、
電子機器。
【００７４】
（１２）前記液晶表示装置と、
前記液晶表示装置を制御する制御装置とを含む、
電子機器。
【００７５】
（１３）前記液晶表示装置と、
前記液晶表示装置を制御する制御装置とを含む、
電子機器。
【符号の説明】
【００７６】
１  液晶表示装置
２  バックライトユニット
３  液晶パネル
４  カバーガラス
５  基台
６  導光板
７  光学シート
８  底部
９  ＦＰＣ
１１  基板
１２  ＬＥＤ
３１  透明基板
３２  透明基板
５１  第１の側壁部
５２  第２の側壁部
５３  第３の側壁部
５４  第４の側壁部
【図１】
0006374242.tif 000002
【図２】
0006374242.tif 000003
【図３】
0006374242.tif 000004
【図４】
0006374242.tif 000005
【図５】
0006374242.tif 000006
【図６】
0006374242.tif 000007
【図７】
0006374242.tif 000008
【図８】
0006374242.tif 000009
【図９】
0006374242.tif 000010
【図１０】
0006374242.tif 000011
【図１１】
0006374242.tif 000012
【図１２】
0006374242.tif 000013
【図１３】
0006374242.tif 000014
【図１４】
0006374242.tif 000015
【図１５】
0006374242.tif 000016
【図１６】
0006374242.tif 000017
【図１７】
0006374242.tif 000018
【図１８】
0006374242.tif 000019
【図１９】
0006374242.tif 000020
【図２０】
0006374242.tif 000021